(57)【特許請求の範囲】
【請求項１】
スマートフォン形携帯電話のケース外周を保持して該携帯電話の表示面を露出せしめ得る枠部材を有し、
上記枠部材と別体の鏡が、前記枠部材に対し球継手を介して接続されていることを特徴とする手鏡。
【請求項２】
前記枠部材が、携帯電話の挿入を誘導するガイド部と、挿入のストロークを制限するストッパ部と、携帯電話の抜け出しを阻止するフック部とを有している、請求項１に記載の手鏡。
【請求項３】
前記鏡の反射面の周辺にＬＥＤを光源とする照明灯が設けられるとともに、該鏡の裏側に照明灯用の手動スイッチが設けられている、請求項１または請求項２に記載の手鏡。
【請求項４】
前記枠部材をテーブル上に置いたとき、この枠部材を支持する脚部材が、該枠部材に対して折りたたみ回動可能に装着されており、かつ該回動に対して抵抗を与える手段を有している、請求項１ないし請求項３の何れかに記載の手鏡。
【発明の詳細な説明】
【技術分野】
【０００１】
本発明は化粧用の手鏡に係り、特にスマートフォン形の携帯電話を操作しながら使用するに好都合なように改良した手鏡である。ただし化粧用以外に用いることも可能である。
【背景技術】
【０００２】
携帯電話は、その普及に伴って日常生活の中に入り込んできた。
一方、女性にとって手鏡は軽便な化粧具として、古くから身近に置かれている。
こうした事情により、携帯電話と鏡とを組み合わせて一体の機器にすれば便利であろうという考えは、１０年以上も前から具体化されて種々の発明もなされている。
また、液晶面を電磁的に操作して、反射鏡として機能させる発明もなされている。
【０００３】
特許文献１として挙げた特開２００３−２３４８１５号公報の発明は、携帯電話機に対して鏡を蝶着したものであって、携帯電話と手鏡とに使い分けることができる。
特許文献２として挙げた特開平１０−１３５１４号公報の発明は、携帯電話機に対して鏡を蓋状に蝶着したものであって、携帯電話を操作しながら手鏡を覗くことができる。
特許文献３として挙げた特開２０００−３２１０２号公報の発明は、携帯電話機に対して鏡を貼着したものであって、携帯電話と手鏡とに使い分けることができる。
【先行技術文献】
【特許文献】
【０００４】
【特許文献１】特開２００３−２３４８１５号公報
【特許文献２】特開平１０−１３５１４号公報
【特許文献３】特開２０００−３２１０２号公報
【発明の概要】
【発明が解決しようとする課題】
【０００５】
携帯電話の発達途中の１時期においては、前記特許文献の欄に記載したような「単に携帯電話に鏡を取り付け、または携帯電話の表示面に鏡機能を兼ねさせた機器」も相応の効果を奏した。
しかし、携帯電話の更なる発達によって従来の「鏡つき携帯電話」はユーザーの嗜好に合わなくなった。
不具合の第１は、スマートフォン形携帯電話の出現によって、長方形板状の機器における１つの面のほぼ全部が『表示面かつ操作面（タッチパネル）』になったことである。
【０００６】
スマートフォンの正面は操作面と表示面と両方の機能を備えている。
この面をタッチパネルとして使用する際、目の位置は必ずしもパネル中央正面でなくても良い。しかし表示面として見る際の目の位置はパネル中央正面であることが望ましい。
一方、手鏡と目との位置関係は使用者の好みに応じて任意に変化することを要する。
このため手鏡は、さながら身体の１部分であるかのごとく微妙に位置と角度とを調節されねばならず、従来例のごとく鏡を単純に蝶着しただけでは時代の変化に適応し得ない。
（携帯電話に蝶着された鏡の姿勢は、該携帯電話によって制約されるからである）
不具合の第２はユーザーの高品質志向であって、ハーフミラーや液晶では満ち足りず、ガラスの裏面に鍍金した真正の手鏡が求められる。
【０００７】
本発明は上述の事情に鑑みて為されたものであって、
その目的とするところは、ハーフミラーや液晶面の兼用ではない真正の鏡であって、
スマートフォン形携帯電話を操作しながら使用することができ、
特に、携帯電話によって鏡の姿勢を制約されることなく、使用者の頭から胸元までの任意の箇所を選択的に映し出すことができ、かつ左右好みの方向に向けることができ、
しかも必要に応じて容易に携帯電話を切り離し、単品の用具として携行することができる手鏡を提供するにある。
【課題を解決するための手段】
【０００８】
本発明の基本的な構成について、その１実施形態に対応する添付図面を参照して説明すると以下に記載する通りである。
この［課題を解決するための手段］の欄は、図面との対照が容易なように括弧書きで図面参照符号を付記してあるが、この括弧付き符号は本発明の必須構成要件を図面のとおりに限定するものではない。
【０００９】
請求項１に係る発明の構成は、（図１参照）、
スマートフォン形携帯電話（４）のケース（４ａ）の外周を保持して該携帯電話の表示面（４ｂ）を露出せしめ得る枠部材（５）を有し、
上記と別体の鏡（３）が、前記枠部材に対し球継手（６）を介して接続されていることを特徴とする。
【００１０】
請求項２の発明に係る手鏡の構成は、前記請求項１の発明の構成要件に加えて、  
（図１参照）前記の枠部材（５）が、携帯電話（４）の挿入（矢印ａ）を誘導するガイド部（５ｂ，５ｄ）と、挿入のストロークを制限するストッパ部（５ｃ）と、携帯電話の抜け出し（矢印ｂ）を阻止するフック部（５ｅ）とを有している。
【００１１】
請求項３の発明に係る手鏡の構成は、前記請求項１又は請求項２の発明の構成要件に加えて、
（図２参照）前記鏡（３）の反射面の周辺にＬＥＤを光源とする照明灯（７）が設けられるとともに、（図３参照）該鏡の裏側に手動スイッチ（８）が設けられている。
【００１２】
請求項４の発明に係る手鏡の構成は、前記請求項１ないし請求項３の発明の構成要件に加えて、
（図３参照）前記枠部材（５）をテーブル（１１）上に置いたとき、枠部材を支持する脚部材（９）が、該枠部材に対して折畳み回動（往復円弧矢印）可能に装着されており、かつ該回動に対して抵抗を与える手段を有している。
【発明の効果】
【００１３】
請求項１の発明を適用すると、鏡が枠部材に対して球継手で支持されているので、該鏡を任意の姿勢にすることができる。
（注）  ヒンジで蝶着されている従来例の鏡では、１軸の周囲にしか回動できない。
その上、枠部材が携帯電話の表示面を露出させているので、該携帯電話の使用を妨げない。
【００１４】
請求項２の発明を適用すると、手鏡に接続されている枠部材に対して、携帯電話を自在に挿脱することができる。
【００１５】
請求項３の発明を適用すると、鏡に照明灯が設けられているので、使用者の顔面周辺を照明することができ、該照明灯の光源がＬＥＤであるから消費電力が少ない。
その上、手動スイッチが設けられているので、必要に応じて照明灯を任意に点滅することができる。
【００１６】
請求項４の発明を適用すると、枠部材に脚部材が設けられているので本発明に係る手鏡を単品の状態で、もしくは携帯電話を接続した状態で、テーブル等の上に立てておくに便利であり、該脚部材が折り畳み可能であるから不使用時にも邪魔にならない。
【図面の簡単な説明】
【００１７】
【図１】本発明に係る手鏡の１実施形態を示し、模式的に描いた分解斜視図である。
【図２】前記実施形態に係る手鏡の組立て状態を描いた外観斜視図である。
【図３】前記実施形態に係る手鏡をテーブル上に置いた状態の外観斜視図である。
【発明を実施するための形態】
【００１８】
図２は本発明に係る手鏡の１実施形態の外観斜視図である。
手鏡３は、硝子板に銀またはアルミニウムなどの金属が蒸着された公知の部材であって、枠部材５に対して球継手６で接続されている。
本図（外観斜視図）では枠部材５の１部分しか現れていないが、その詳細は図１を参照して後に詳しく説明する。
この枠部材５はスマートフォン形の携帯電話４を把持している。
（注）本発明においてスマートフォンとは「電話やメールの他にＰＤＡ（情報端末機能）を有し、画像表示パネル兼タッチ操作パネルを備えた多機能携帯電話機」をいう。
【００１９】
図２において枠部材５に保持されているスマートフォン形携帯電話４を、該枠部材５から抜き出した状態を図１に示す。
（図１参照）仮想線で描いた４´は、枠部材５に保持されていた形携帯電話４の輪郭であり、符号４を付して実線で描いたのは、矢印ｂ方向に抜き出したスマートフォン形携帯電話である。
本例の枠部材５は、弾性を有する合成樹脂で成型され、スマートフォン形携帯電話４を矢印ａ方向に挿入できるようになっている。
【００２０】
符号５ｄ，５ｄを付して示したのはスマートフォン形携帯電話４を矢印ａ方向に誘導するガイドレールである。
左右１対の５ｂはスマートフォン形携帯電話４つを矢印ａ方向に誘導する機能も兼ねているが、挿入された携帯電話４を抱え込んで支持するサイドアームである。
左右１対の５ｃはスマートフォン形携帯電話４っを矢印ａ方向に挿入する場合のストッパであるが、挿入された携帯電話４を支持する役目も兼ねている。
【００２１】
枠部材５に挿入（矢印a）された携帯電話４´（仮想線）はフック５ｅで抜け止めされている。この部材は弾性合成樹脂で構成されているのでスプリングフックとして機能し、携帯電話の挿入を妨げない。
サイドアーム５ｂやストッパ５ｃに抱え込まれたスマートフォン形携帯電話４´（仮想線）は、その背面をリーフスプリング５ｆで軽く押されていてガタつかない。
本図から理解されるようにスマートフォン形携帯電話４は、ケース４ａを枠部材５で支持され、表示部４ｂが覆われないので、携帯電話としての操作や機能を妨げられる虞が無い。
【００２２】
（図２参照）手鏡３の表側周辺部にＬＥＤライト７が設けられている。
（図３参照）該手鏡３の裏側に、前記ＬＥＤライト用の手動スイッチ８が設けられている。
枠部材５に対して脚部材９がヒンジ１０により蝶着されていて、付記した円弧矢印のように折り畳み回動可能である。
前記の回動には適宜の摩擦抵抗が与えられていて、図のようにテーブル１１上に置いて枠部材５を立てることができる。本発明においてテーブルとは、物品を載置し得る器具の総称である。
【符号の説明】
【００２３】
３…手鏡
４…スマートフォン形携帯電話
４ａ…ケース
４ｂ…表示面
５…枠部材
５ａ…バックプレート
５ｂ…サイドアーム
５ｃ…ストッパ
５ｄ…ガイドレール
５ｅ…フック
５ｆ…リーフスプリング
６…球継手
７…ＬＥＤライト
８…スイッチ
９…脚部材
１０…ヒンジ
１１…テーブル
【要約】
【課題】  手鏡を改良して、スマートフォン形携帯電話を操作しながら随意に化粧や身嗜みができるようにする。
【解決手段】  手鏡３は球継手６を介して枠部材５に取り付けられる。枠部材５はスマートフォン形携帯電話４を着脱することができる。着脱は、実線位置の携帯電話４を矢印aのように仮想線位置４´へ挿入したり、矢印bのように抜き出したりして行なう。手鏡３は球継手６で支持されているので、スマートフォン形携帯電話に対する姿勢を任意に変化させることができる。枠部材５に嵌め合わされた状態で、スマートフォン形携帯電話は表示面の視認やタッチパネル操作を妨げられない。
【選択図】  図１【図１】
0005441202.tif 000002
【図２】
0005441202.tif 000003
【図３】
0005441202.tif 000004